(57)【要約】【課題】小型化を可能にした洗浄装置を提供すること。【解決手段】支持アーム３６は、同一高さ位置において一軸線を中心にフレーム１１に回転可能に支持されるとともに、相互間隔をおいて配置される。支持アーム３６上には板状の被洗浄体１００が載置される。支持アーム３６には、傾斜状態の前記支持アーム３６に載置された前記被洗浄体１００を前記支持アーム３６上において脱落しないように保持するストッパ３８が設けられる。支持アーム３６は作動シリンダにより水平位置と上向きの傾斜位置との間において回転される。従って、被洗浄体の両側面を洗浄できる。【選択図】図１
2019147076.tif 000002
【特許請求の範囲】
【請求項１】
板状の被洗浄体を洗浄するための洗浄方法において、
前記被洗浄体を水平な複数の支持アーム上に載置支持して前記被洗浄体の一側面を洗浄する工程と、
前記支持アームを上向きにして前記被洗浄体の他側面を洗浄する工程と
を有する板状体の洗浄方法。
【請求項２】
同一高さ位置において一軸線を中心にフレームに回転可能に支持されるとともに、相互間隔をおいて配置され、板状の被洗浄体を載置支持可能にした複数の支持アームと、
傾斜状態の前記支持アームに載置された前記被洗浄体を前記支持アーム上において脱落しないように保持する保持手段と、
その支持アームを水平位置と上向きの傾斜位置との間において回転させる駆動手段と
を備えた板状体の洗浄装置。
【請求項３】
前記フレームに飛散防止カバーを設け、前記支持アームをその飛散防止カバーの前面側に設けた請求項２に記載の板状体の洗浄装置。
【請求項４】
前記飛散防止カバーの上部を前方に向かって張り出した請求項３に記載の板状体の洗浄装置。
【請求項５】
前記支持アームの上端を先鋭状にした請求項２〜４のうちのいずれか一項に記載の板状体の洗浄装置。
【発明の詳細な説明】
【技術分野】
【０００１】
本発明は、敷き鉄板やグレーチングなどの板状体を洗浄するための板状体の洗浄方法及び洗浄装置に関するものである。
【背景技術】
【０００２】
この種の装置が特許文献１に記載されている。この特許文献１に記載の洗浄装置は、敷き鉄板を洗浄するものである。この洗浄装置は、傾斜されたローラコンベアを備え、吸着パッドにより敷き鉄板が吸着されて前記ローラコンベアの一端部に搬入される。そして、ローラコンベアの傾斜を利用して、敷き鉄板が同ローラコンベアの他端部側に向かって搬送される。ローラコンベアの搬送経路の途中には洗浄装置が設置され、この洗浄装置によって敷き鉄板の表裏両面が敷き鉄板の搬送途中において洗浄される。洗浄後の敷き鉄板は、ローラコンベアの他端において吸着パッドによって搬出される。
【先行技術文献】
【特許文献】
【０００３】
【特許文献１】特開２０１５−８０７８３号公報
【発明の概要】
【発明が解決しようとする課題】
【０００４】
特許文献１の洗浄装置においては、敷き鉄板がローラコンベア上を搬送されることにより洗浄が実行される。従って、特許文献１の洗浄装置は敷き鉄板の移動範囲をカバーする長さのローラコンベアが必要になって、装置の大型化を避けることができない。
【０００５】
本発明の目的は、小型化を可能にした洗浄装置を提供することにある。
【課題を解決するための手段】
【０００６】
上記の目的を達成するために、本発明の洗浄方法においては、板状の被洗浄体を洗浄するための洗浄方法において、前記被洗浄体を水平な複数の支持アーム上に載置支持して前記被洗浄体の一側面を洗浄する工程と、前記支持アームを上向きにして前記被洗浄体の他側面を洗浄する工程とを有する。
【０００７】
また、本発明の洗浄装置においては、同一高さ位置において一軸線を中心にフレームに回転可能に支持されるとともに、相互間隔をおいて配置され、板状の被洗浄体を載置支持可能にした複数の支持アームと、傾斜状態の前記支持アームに載置された前記被洗浄体を前記支持アーム上において脱落しないように保持する保持手段と、その支持アームを水平位置と上向きの傾斜位置との間において回転させる駆動手段とを備えた。
【０００８】
従って、本発明においては、支持アーム上に被洗浄体を載置して、その支持アームを回転させることにより、被洗浄体の表裏の向きが変化して、被洗浄体の両側面を洗浄できる。このため、洗浄装置は、被洗浄体をローラコンベアのような長い搬送エリアを要するもので搬送させる必要がなく、構造の簡素化および小型化が可能になる。
【発明の効果】
【０００９】
本発明によれば、小型化を可能にした洗浄装置を実現できる。
【図面の簡単な説明】
【００１０】
【図１】実施形態の洗浄装置の斜視図。
【図２】ベースフレームの斜視図。
【図３】洗浄装置に対して敷き鉄板を出し入れする状態を示す側面図。
【図４】敷き鉄板の一側面を洗浄する状態を示す側面図。
【図５】敷き鉄板の他側面を洗浄する状態を示す側面図。
【発明を実施するための形態】
【００１１】
以下、本発明を具体化した実施形態を図面に基づいて説明する。
図１及び図２に示すように、ベースフレーム１１は幅方向の下部において相互間隔をおいて立設配置された複数の基枠１５を有する支持枠１３を備えている。支持枠１３は、前記基枠１５の下部の前後位置において基枠１５間に架設された横枠部材１４を備えている。基枠１５の上端間には上部枠部材１６が架設されている。基枠１５の前面には、下から順に下部斜面２０，中間部斜面２１及び上部斜面２２が形成されている。下部斜面２０は、前下がりに形成され、中間部斜面２１は、下部斜面２０より急角度の前下がりに形成され、上部斜面２２は、前上がりに形成されている。
【００１２】
図３に示すように、前記基枠１５のうち、幅方向の両端部の基枠１５を除く他の基枠１５の側面には受け台３１が固定されている。その受け台３１の上面にはブラケット３２を介して複数の作動レバー３３が同一軸線上の軸を中心に回転可能に支持されている。
【００１３】
図１及び図３に示すように、前記上部枠部材１６の下面には駆動手段としての複数の作動シリンダ３４が上端において同一軸線上の軸を中心に回転可能に支持され、そのピストンロッド３５が前記作動レバー３３の後端に回転可能に連結されている。
【００１４】
作動レバー３３の前端には支持アーム３６の後端が固定され、この支持アーム３６には前方に向かって突出されている。従って、各支持アーム３６は、同一軸線を中心に回転される。図１に示すように、支持アーム３６の上面には上端を先鋭状にした長尺状の受け部材１９が固定され、この受け部材１９上に被洗浄体１００が載置される。支持アーム３６の上面後端にはストッパ３８が固定されている。このストッパ３８は、支持アーム３６が上向きに傾斜された際に、被洗浄体１００を受け止めて、被洗浄体１００の脱落を阻止する。
【００１５】
そして、作動シリンダ３４のピストンロッド３５の出没によって作動レバー３３を介して各支持アーム３６が上下方向に同時に同期して回転される。ここで、ピストンロッド３５が没入することにより、支持アーム３６が水平位置に配置され、ピストンロッド３５が突出することにより、支持アーム３６が前記傾斜部１８とほぼ平行をなす傾斜位置に配置される。
【００１６】
図１及び図３に示すように、ベースフレーム１１の前面には板材よりなる飛散防止カバー４１が設置固定されている。この飛散防止カバー４１は、前記下部斜面２０に沿う板前部４３と、中間部斜面２１に沿う板中間部４４と、上部斜面２２に沿う板上部４２とを有する。飛散防止カバー４１はそれぞれ複数枚、複数種類のカバー板４１１，４１２，４１３などよりなり、それらのカバー板４１１，４１２，４１３などがネジやボルト（図示しない）によって交換可能に基枠１５に取り付けられている。
【００１７】
前記作動レバー３３の中間部には前方に向かって円弧状に突出する突出部４５が形成されている。そして、前記板中間部４４には開口４６形成されており、この開口４６から前記突出部４５が前方に突出されている。従って、作動レバー３３，すなわち支持アーム３６の回転位置に関わらず、開口４６の内縁と作動レバー３３との間の隙間からの洗浄水の漏洩が抑えられる。
【００１８】
図１に示すように、各カバー板４１２等の上下間の横方向に延在する各突き合わせ部５００において、上部側のカバー板４１２等の前面端縁には縁板５０１が固定され、この縁板５０１は下側のカバー板４１１等の前面端縁に位置している。従って、縁板５０１により横方向に延在する突き合わせ部５００からの後ろ側への洗浄水の漏洩が抑えられる。各カバー板４１２等の上下方向に延在する突き合わせ部は基枠１５の前面に位置しているため、この基枠１５により後ろ側への洗浄水の漏洩が抑えられる。
【００１９】
次に、以上のように構成された洗浄装置の作用を説明する。
洗浄開始前においては、図３及び図４に示すように、作動シリンダ３４のピストンロッド３５が没入位置にあって、支持アーム３６が水平位置に配置されている。従って、図３に示すように、この状態において、フォークリフトのフォークによって持ち上げられた被洗浄体１００が支持アーム３６上に移載され、支持アーム３６の受け部材１９上に載置される。このとき、被洗浄体１００は支持アーム３６のストッパ３８によって受け止められるようにする。被洗浄体１００としては、敷き鉄板、グレーチングやパンチングメタルなどがある。
【００２０】
このようにすれば、被洗浄体１００が水平状態に支持されるため、フォークリフトを退避させることにより、被洗浄体１００の一側面である上面を洗浄装置の前方から容易に水洗浄できる。また、図５に示すように、作動シリンダ３４のピストンロッド３５を突出させることにより、被洗浄体１００を上向き傾斜状態にすることができて、被洗浄体１００の他側面である下面を同じく洗浄装置の前方から水洗浄できる。
【００２１】
洗浄が終了した場合は、支持アーム３６を図１に示す水平状態にして、フォークリフトによって支持アーム３６上から撤去することができる。
従って、本実施形態においては、以下の効果がある。
【００２２】
（１）被洗浄体１００を支持アーム３６上に載置した状態で、支持アーム３６を水平位置と傾斜位置とに配置することにより、被洗浄体１００の表裏両面を容易かつ効率よく洗浄できる。従って、従来の特許文献１とは異なり、被洗浄体１００を洗浄装置内において搬送移動させる必要がないため、洗浄装置の構成を簡素化できるとともに、同装置を小型化できる。
【００２３】
（２）複数の支持アーム３６を相互間隔をおいて４本設けたことにより、図１に２点鎖線で示すように、大きさの異なる被洗浄体１００の洗浄が可能になる。言い換えれば、各種の被洗浄体１００の洗浄が可能となり、汎用性に優れた洗浄装置を実現できる。
【００２４】
（３）洗浄される被洗浄体１００は支持アーム３６上に載置されるだけであるため、敷き鉄板やグレーチングなど、各種の板状のものを洗浄できる。
（４）被洗浄体１００は片持ち状態の支持アーム３６の先端側を介して出し入れされるため、支持アーム３６に対する被洗浄体１００の搬入及び搬出をフォークリフトを用いて容易に行うことができる。
【００２５】
（５）支持アーム３６の後方に飛散防止カバー４１が設けられているため、洗浄水が洗浄装置の後方に飛散することを防止できる。従って、洗浄装置の周囲が濡れたり、汚損したりすることを抑えることができるだけではなく、作動シリンダ３４の汚損などによる作動不良などを回避できる。
【００２６】
（６）前記飛散防止カバー４１の上部側が前方に向かって傾斜されて、その上部が張り出されているため、洗浄水を前方に跳ね返すことができて、周囲の水濡れや汚損を少なくできる。
【００２７】
（７）作動レバー３３の突出部４５が飛散防止カバー４１の開口４６を塞ぐように設けられているため、洗浄水が開口４６の内縁と作動レバー３３との間から洗浄装置の後部側に漏出することを抑えることができる。従って、前記のように、洗浄装置の周囲の汚損を抑えることができるだけではなく、シリンダ３４の汚損による作動不良を回避できる。
【００２８】
（８）支持アーム３６の上面には、上端を先鋭状にした受け部材１９が設けられているため、支持アーム３６と被洗浄体１００との接触面積を小さくできる。このため、被洗浄体１００の側面の洗浄されない部分をほとんど無くすことができる。
【００２９】
本発明は前記実施形態に限定されるものではなく、以下のような態様で具体化することができる。
・支持アーム３６の本数を２本，３本あるいは５本以上に変更すること。
【００３０】
・支持アーム３６の回転を駆動するための駆動手段を変更すること。例えば、作動レバー３３を同一の回転軸上に支持し、その回転軸を回転させるモータによって作動レバー３３を介して支持アーム３６を回転させるように構成すること。
【００３１】
・支持アーム３６上の受け部材１９を複数の円錐形状あるいは角錐形状のものに変更して、それの上端の先鋭部において被洗浄体１００を受けるようにすること。
・受け部材１９を支持アーム３６と一体化すること。
【００３２】
・飛散防止カバー４１の上端に前方に向かってほぼ水平または下向きに張り出すひさし状の部分を設けること。
・被洗浄体１００が支持アーム３６上から脱落することを防止するための保持手段として、作動レバー３３の突出部４５にその機能を持たせること。
【００３３】
・受け部材１９を被洗浄体１００を直立状態に保持できる形状に形成して、直立状態の被洗浄体１００を洗浄できるようにすること。
【符号の説明】
【００３４】
１１…ベースフレーム、１９…受け部材、３３…作動レバー、１９…受け部材、３６…支持アーム、４１…飛散防止カバー。
【図１】
2019147076.tif 000003
【図２】
2019147076.tif 000004
【図３】
2019147076.tif 000005
【図４】
2019147076.tif 000006
【図５】
2019147076.tif 000007